(57)【要約】【課題】バッテリを使用する使用者の作業効率を向上させる。【解決手段】本開示の充電器は、装着部と、充電部と、報知判断部と、報知部とを備える。装着部は、バッテリパックが着脱可能に装着されるように構成される。充電部は、装着部に装着されたバッテリパックを充電するように構成される。報知判断部は、バッテリパックの充電容量が、７０％以上であり且つ１００％未満となるように予め設定された報知判定値以上であるか否かを判断するように構成される。報知部は、バッテリパックの充電容量が報知判定値以上であると報知判断部が判断した場合に、その旨を、音または振動で、予め設定された報知時間の間だけ報知するように構成される。【選択図】図１
2020108311.tif 000002
【特許請求の範囲】
【請求項１】
バッテリパックが着脱可能に装着されるように構成された装着部と、
前記装着部に装着された前記バッテリパックを充電するように構成された充電部と、
前記バッテリパックの充電容量が、７０％以上であり且つ１００％未満となるように予め設定された報知判定値以上であるか否かを判断するように構成された報知判断部と、
前記バッテリパックの前記充電容量が前記報知判定値以上であると前記報知判断部が判断した場合に、その旨を、音または振動で、予め設定された報知時間の間だけ報知するように構成された報知部と
を備える充電器。
【請求項２】
請求項１に記載の充電器であって、
前記バッテリパックの前記充電容量が１００％に達した場合に、その旨を音で報知するように構成された満充電報知部を備え、
前記報知部は、音で報知を行い、
前記満充電報知部は、複数種類の音の中から選択された音で報知を行うように構成され、
前記報知部は、１種類の音で報知を行うように構成される充電器。
【請求項３】
請求項１に記載の充電器であって、
前記バッテリパックの前記充電容量が１００％に達した場合に、その旨を音で報知するように構成された満充電報知部を備え、
前記報知部は、音で報知を行い、
前記満充電報知部は、複数種類の音の中から選択された音で報知を行うように構成され、
前記報知部は、複数種類の音の中から選択された音で報知を行うように構成される充電器。
【請求項４】
請求項１に記載の充電器であって、
前記バッテリパックの前記充電容量が１００％に達した場合に、その旨を音で報知するように構成された満充電報知部を備え、
前記報知部は、音で報知を行い、
前記満充電報知部は、複数種類の音の中から選択された音で報知を行うように構成され、
前記報知部は、複数種類の音の中から、前記満充電報知部が報知する音とは異なる種類の音で報知を行うように構成される充電器。
【請求項５】
請求項１〜請求項４の何れか１項に記載の充電器であって、
予め設定された禁止条件が成立したか否かを判断するように構成された禁止判断部と、
前記禁止条件が成立したと前記禁止判断部が判断した場合に、前記報知部による報知を禁止するように構成された禁止部と
を備える充電器。
【請求項６】
請求項１〜請求項５の何れか１項に記載の充電器であって、
前記報知部は、前記バッテリパックの前記充電容量が前記報知判定値以上であると前記報知判断部が判断した場合に、報知指令を、当該充電器の外部に存在する外部機器へ無線で送信することにより、前記外部機器に、前記バッテリパックの前記充電容量が前記報知判定値以上である旨を音または振動で前記報知時間の間だけ報知させる充電器。
【発明の詳細な説明】
【技術分野】
【０００１】
本開示は、バッテリを充電する充電器に関する。
【背景技術】
【０００２】
特許文献１には、バッテリの充電が完了したときに音を発生させる充電器が記載されている。
【先行技術文献】
【特許文献】
【０００３】
【特許文献１】特許第４５６６９４３号公報
【発明の概要】
【発明が解決しようとする課題】
【０００４】
近年、技術の進歩によりパッテリの容量が大きくなってきている。これにより、パッテリの満充電までに要する時間が長くなっている。このため、バッテリの使用者は、バッテリの充電が完了するまで、バッテリを用いた作業を行うことができず、作業効率が低下してしまう恐れがあった。
【０００５】
本開示は、バッテリを使用する使用者の作業効率を向上させることを目的とする。
【課題を解決するための手段】
【０００６】
本開示の一態様は、装着部と、充電部と、報知判断部と、報知部とを備える充電器である。装着部は、バッテリパックが着脱可能に装着されるように構成される。充電部は、装着部に装着されたバッテリパックを充電するように構成される。報知判断部は、バッテリパックの充電容量が、７０％以上であり且つ１００％未満となるように予め設定された報知判定値以上であるか否かを判断するように構成される。報知部は、バッテリパックの充電容量が報知判定値以上であると報知判断部が判断した場合に、その旨を、音または振動で、予め設定された報知時間の間だけ報知するように構成される。
【０００７】
このように構成された本開示の充電器は、バッテリパックの充電容量が、１００％未満である報知判定値以上になったときに報知する。このため、本開示の充電器は、バッテリパックの充電容量が１００％になるまで使用者を待たせることなく、使用者にバッテリパックを充電器から取り外させることができる。これにより、本開示の充電器は、使用者に、バッテリパックの充電が完了するまで長時間待たせることなく、バッテリパックを用いた作業を再開させることができ、使用者の作業効率を向上させることができる。
【０００８】
また、本開示の充電器は、音または振動で報知する。このため、本開示の充電器は、使用者が充電器から離れた場所にいる場合であっても、報知部から出力される音、または報知部の振動により発生する音が空気中を伝導することにより、使用者に、バッテリパックの充電容量が報知判定値以上になったことを伝達することができる。これにより、本開示の充電器は、バッテリパックの充電を行っている間に、使用者に、充電器から離れた場所で他の作業をさせることができ、使用者の作業効率を更に向上させることができる。
【０００９】
また、本開示の充電器は、予め設定された報知時間の間だけ報知する。このため、本開示の充電器は、充電器の電力消費を低減することができる。
本開示の一態様では、バッテリパックの充電容量が１００％に達した場合に、その旨を音で報知するように構成された満充電報知部を備え、報知部は、音で報知を行うようにしてもよい。そして満充電報知部は、複数種類の音の中から選択された音で報知を行うように構成され、報知部は、１種類の音で報知を行うように構成されるようにしてもよい。これにより、本開示の充電器は、バッテリパックの充電容量が１００％に達したことと、バッテリパックの充電容量が報知判定値以上になったこととを区別して、使用者に報知することができる。さらに、本開示の充電器は、報知部が１種類の音で報知を行う。このため、本開示の充電器は、報知部における音の種類を選択するという操作を不要とすることができ、使用者による操作性を向上させることができる。
【００１０】
本開示の一態様では、バッテリパックの充電容量が１００％に達した場合に、その旨を音で報知するように構成された満充電報知部を備え、報知部は、音で報知を行うようにしてもよい。そして満充電報知部は、複数種類の音の中から選択された音で報知を行うように構成され、報知部は、複数種類の音の中から選択された音で報知を行うように構成されるようにしてもよい。これにより、本開示の充電器は、バッテリパックの充電容量が１００％に達したことと、バッテリパックの充電容量が報知判定値以上になったこととを区別して、使用者に報知することができる。
【００１１】
本開示の一態様では、バッテリパックの充電容量が１００％に達した場合に、その旨を音で報知するように構成された満充電報知部を備え、報知部は、音で報知を行うようにしてもよい。そして、満充電報知部は、複数種類の音の中から選択された音で報知を行うように構成され、報知部は、複数種類の音の中から、満充電報知部が報知する音とは異なる種類の音で報知を行うように構成されるようにしてもよい。これにより、本開示の充電器は、バッテリパックの充電容量が１００％に達したことと、バッテリパックの充電容量が報知判定値以上になったこととを区別して、使用者に報知することができる。
【００１２】
本開示の一態様では、予め設定された禁止条件が成立したか否かを判断するように構成された禁止判断部と、禁止条件が成立したと禁止判断部が判断した場合に、報知部による報知を禁止するように構成された禁止部とを備えるようにしてもよい。これにより、本開示の充電器は、例えば、夜間のように、音または振動による報知が不適切な状況において、音または振動による報知が行われてしまうという事態の発生を抑制することができる。
【００１３】
本開示の一態様では、報知部は、バッテリパックの充電容量が報知判定値以上であると報知判断部が判断した場合に、報知指令を、当該充電器の外部に存在する外部機器へ無線で送信することにより、外部機器に、バッテリパックの充電容量が報知判定値以上である旨を音または振動で報知時間の間だけ報知させるようにしてもよい。これにより、本開示の充電器は、使用者が充電器から離れた場所にいる場合であっても、外部機器を所持する使用者に、バッテリパックの充電容量が報知判定値以上になったことを伝達することができる。このため、本開示の充電器は、バッテリパックの充電を行っている間に、使用者に、充電器から離れた場所で他の作業をさせることができ、使用者の作業効率を更に向上させることができる。
【図面の簡単な説明】
【００１４】
【図１】充電システムの電気的構成を示すブロック図である。
【図２】バッテリパックおよび充電器の斜視図である。
【図３】報知処理の前半部分を示すフローチャートである。
【図４】報知処理の後半部分を示すフローチャートである。
【発明を実施するための形態】
【００１５】
以下に本開示の実施形態を図面とともに説明する。
本実施形態の充電システム１は、図１に示すように、バッテリパック２と、充電器３とスマートフォン４とを備える。
【００１６】
バッテリパック２は、充電式電動機器（例えば、充電式電動工具、充電式掃除機および充電式園芸工具）に着脱可能に装着されて、充電式電動機器の動力源（例えば、直流モータ）に電源供給を行う。
【００１７】
充電器３は、外部電源から電源供給を受けることにより、バッテリ充電用の充電電圧を生成し、バッテリパック２内のバッテリ１１に電源供給を行う。
スマートフォン４は、携帯電話の通信網を介して音声通話およびデータ通信を行う機能を有する。またスマートフォン４は、近距離無線通信（例えば、Ｂｌｕｅｔｏｏｔｈ規格に準拠した方式の無線通信）によりデータ通信を行う機能を有する。Ｂｌｕｅｔｏｏｔｈは登録商標である。
【００１８】
バッテリパック２は、バッテリ１１と、端子１２，１３，１４，１５と、バッテリ制御回路１６と、電圧検出回路１７と、電流検出回路１８と、温度検出回路１９と、レギュレータ２０と、充電器検出回路２１とを備える。
【００１９】
バッテリ１１は、充放電可能な複数の二次電池が直列に接続されることにより、バッテリ電圧ＶＢを出力する。
端子１２は、バッテリ１１の正極に接続される。端子１３は、バッテリ１１の負極に接続される。端子１４は、充電器３との間で通信を行うための通信端子である。端子１５は、内部回路駆動用の電源電圧Ｖｃｃを充電器３から受けるための端子である。
【００２０】
バッテリ制御回路１６は、ＣＰＵ１６ａ、ＲＯＭ１６ｂおよびＲＡＭ１６ｃ等を備えたマイクロコンピュータを中心に構成されている。マイクロコンピュータの各種機能は、ＣＰＵ１６ａが非遷移的実体的記録媒体に格納されたプログラムを実行することにより実現される。この例では、ＲＯＭ１６ｂが、プログラムを格納した非遷移的実体的記録媒体に該当する。また、このプログラムの実行により、プログラムに対応する方法が実行される。なお、ＣＰＵ１６ａが実行する機能の一部または全部を、一つあるいは複数のＩＣ等によりハードウェア的に構成してもよい。また、バッテリ制御回路１６を構成するマイクロコンピュータの数は１つでも複数でもよい。
【００２１】
電圧検出回路１７は、バッテリ電圧ＶＢを検出する。電流検出回路１８は、端子１３からバッテリ１１の負極に至る通電経路に設けられて、この通電経路を流れる電流を検出する。温度検出回路１９は、バッテリ１１の内部温度を検出する。
【００２２】
レギュレータ２０は、ダイオードＤ１またはＤ２を介して供給される直流電圧を受けて、内部回路駆動用の電源電圧を生成し、生成した電源電圧を、バッテリ制御回路１６と、バッテリ制御回路１６の周辺回路とへ供給する。
【００２３】
ダイオードＤ１のアノードは、バッテリ１１の正極に接続され、ダイオードＤ２のアノードは端子１５に接続されている。ダイオードＤ１，Ｄ２のカソードは、レギュレータ２０に接続されている。これにより、バッテリ電圧ＶＢまたは電源電圧Ｖｃｃがレギュレータ２０に供給される。
【００２４】
このため、レギュレータ２０は、バッテリ１１から電源供給を受けて内部回路駆動用の電源電圧を生成することができる。またレギュレータ２０は、バッテリ１１の充電容量が低下して電源電圧を生成できないときには、充電器３に接続された際に充電器３から供給される電源電圧Ｖｃｃを受けて、内部回路駆動用の電源電圧を生成することができる。
【００２５】
充電器検出回路２１は、バッテリパック２が充電器３に装着された際に充電器３の電源電圧Ｖｃｃが印加される端子１５に接続されている。このため、充電器検出回路２１は、端子１５の端子電圧に基づいて、バッテリパック２が充電器３に装着されたか否かを判断する。
【００２６】
そして、電圧検出回路１７、電流検出回路１８、温度検出回路１９および充電器検出回路２１は、バッテリ制御回路１６に接続される。
バッテリ制御回路１６は、レギュレータ２０から電源供給を受けて動作し、電圧検出回路１７、電流検出回路１８、温度検出回路１９および充電器検出回路２１からの検出信号に基づき、バッテリ１１の状態を監視する。
【００２７】
またバッテリ制御回路１６は、バッテリパック２が装着された充電器３との間で通信を行うための通信ポートを備える。この通信ポートは、通信線を介して端子１４に接続される。
【００２８】
充電器３は、電源コード３１と、充電回路３２と、充電制御回路３３と、端子３４，３５，３６，３７と、表示部３８と、スピーカ３９と、スイッチ４０と、無線通信部４１とを備える。
【００２９】
電源コード３１は、外部電源に接続されて、充電回路３２へ電源電圧を供給する。
充電回路３２は、外部電源からの供給電力により、バッテリ１１を充電するための直流電圧を生成し、内部回路駆動用の電源電圧Ｖｃｃを生成する。
【００３０】
充電制御回路３３は、ＣＰＵ３３ａ、ＲＯＭ３３ｂおよびＲＡＭ３３ｃ等を備えたマイクロコンピュータを中心に構成されている。マイクロコンピュータの各種機能は、ＣＰＵ３３ａが非遷移的実体的記録媒体に格納されたプログラムを実行することにより実現される。この例では、ＲＯＭ３３ｂが、プログラムを格納した非遷移的実体的記録媒体に該当する。また、このプログラムの実行により、プログラムに対応する方法が実行される。なお、ＣＰＵ３３ａが実行する機能の一部または全部を、一つあるいは複数のＩＣ等によりハードウェア的に構成してもよい。また、充電制御回路３３を構成するマイクロコンピュータの数は１つでも複数でもよい。
【００３１】
端子３４および端子３５はそれぞれ、充電回路３２の正極出力端子および負極出力端子に接続されている。そして、端子３４および端子３５はそれぞれ、バッテリパック２が装着された際に、バッテリパック２の端子１２および端子１３に接続される。端子３６は、バッテリパック２の端子１４に接続されて、バッテリパック２との間で通信を行うための通信端子である。端子３７は、充電器３で生成された電源電圧Ｖｃｃをバッテリパック２へ供給するための端子である。
【００３２】
表示部３８は、複数の発光ダイオードを備える。そして表示部３８は、これら複数の発光ダイオードを選択的に点灯または点滅させることで、充電器３の動作状態を表示する。スピーカ３９は、充電制御回路３３から入力された音データが示す音を出力する。
【００３３】
スイッチ４０は、スピーカ３９から出力される音の種類を入力するための操作スイッチと、スマートフォン４による通知の有無を入力するための操作スイッチとを備える。本実施形態では、スピーカ３９からの出力音として、無音、音声、ビープ音およびメロディ音の四種類が設定可能である。従って、スイッチ４０は、無音、音声、ビープ音およびメロディ音の何れかを示す音選択信号を出力する。またスイッチ４０は、スマートフォン４による通知を行うか否かを示す通知選択信号を出力する。
【００３４】
無線通信部４１は、近距離無線通信によりスマートフォン４との間でデータ通信を行う。
そして、表示部３８、スピーカ３９、スイッチ４０および無線通信部４１は、充電制御回路３３に接続される。
【００３５】
充電制御回路３３は、バッテリパック２が装着されると、充電回路３２によるバッテリ１１への充電を制御する。
図２に示すように、充電器３の上面には、バッテリパック２を装着するための装着部６１が形成されている。装着部６１は、バッテリパック２をスライドさせて装着できるように、バッテリパック２の裏面に設けられている装着部５１の形状に対応した形状に形成されている。
【００３６】
また装着部６１には、バッテリパック２が充電器３に装着されたときに、バッテリパック２の裏面に形成された端子部５２と嵌合可能な端子部６２が形成されている。
バッテリパック２の端子部５２には、端子１２，１３，１４，１５が設けられている。また充電器３の端子部６２には、端子３４，３５，３６，３７が設けられている。なお、端子１２〜１５，３４〜３７は、図２に示しておらず、図１に示している。
【００３７】
次に、充電制御回路３３が実行する報知処理の手順を説明する。報知処理は、充電制御回路３３の動作中において繰り返し実行される処理である。
報知処理が実行されると、充電制御回路３３は、図３に示すように、まずＳ１０にて、バッテリパック２が充電器３に装着されているか否かを判断する。具体的には、充電制御回路３３は、端子３６を介してバッテリパック２との間で通信を行い、バッテリパック２との間で通信ができた場合に、バッテリパック２が充電器３に装着されていると判断する。ここで、バッテリパック２が装着されていない場合には、充電制御回路３３は、報知処理を一旦終了する。
【００３８】
一方、バッテリパック２が装着されている場合には、充電制御回路３３は、Ｓ２０にて、スピーカ３９から出力される音の設定を行う。具体的には、充電制御回路３３は、スイッチ４０から入力される音選択信号に基づいて、ＲＡＭ３３ｃに設けられた音出力フラグＦ１および音種類Ｖｓを設定する。すなわち、充電制御回路３３は、音選択信号が無音を示す場合には、音出力フラグＦ１をクリアし、音種類Ｖｓに０を格納する。また充電制御回路３３は、音選択信号がビープ音を示す場合には、音出力フラグＦ１をセットし、音種類Ｖｓに１を格納する。また充電制御回路３３は、音選択信号がメロディ音を示す場合には、音出力フラグＦ１をセットし、音種類Ｖｓに２を格納する。また充電制御回路３３は、音選択信号が音声を示す場合には、音出力フラグＦ１をセットし、音種類Ｖｓに３を格納する。以下の説明において、フラグをセットするとは、そのフラグの値を１にすることを示し、フラグをクリアするとは、そのフラグの値を０にすることを示す。
【００３９】
また充電制御回路３３は、Ｓ３０にて、スマートフォン４による通知の有無を設定する。具体的には、充電制御回路３３は、スイッチ４０から入力される通知選択信号に基づいて、ＲＡＭ３３ｃに設けられたスマートフォン通知フラグＦ２を設定する。すなわち、充電制御回路３３は、スマートフォン４による通知を行うことを通知選択信号が示している場合には、スマートフォン通知フラグＦ２をセットする。また充電制御回路３３は、スマートフォン４による通知を行うことを通知選択信号が示していない場合には、スマートフォン通知フラグＦ２をクリアする。
【００４０】
そして充電制御回路３３は、Ｓ４０にて、充電回路３２によるバッテリパック２の充電を開始する。
次に充電制御回路３３は、Ｓ５０にて、ＲＡＭ３３ｃに設けられた充電容量Ｃｃに格納された値が、予め設定された報知判定値ＴＨ以下であるか否かを判断する。報知判定値ＴＨは、７０％以上であり且つ１００％未満となるように設定される。また報知判定値ＴＨは、満充電となる前にバッテリパック２を充電器３から取り外して使用した場合に実使用上問題がない充電容量として設定された値である。本実施形態では、報知判定値ＴＨは８０％に相当する値である。なお、充電制御回路３３は、充電回路３２がバッテリパック２へ供給する充電電流の値を示す充電電流情報をバッテリ制御回路１６へ逐次送信する。そしてバッテリ制御回路１６は、受信した充電電流情報に基づいて、バッテリパック２へ供給された充電電流の積算値を算出する。またバッテリ制御回路１６は、充電電流の積算値に基づいて、バッテリパック２の充電容量を算出する。さらにバッテリ制御回路１６は、算出した充電容量を示す充電容量情報を充電制御回路３３へ送信する。そして充電制御回路３３は、バッテリ制御回路１６から充電容量情報を受信すると、充電容量情報が示す充電容量の値を充電容量Ｃｃに格納する。
【００４１】
ここで、充電容量Ｃｃに格納された値が報知判定値ＴＨ未満である場合には、充電制御回路３３は、Ｓ５０の処理を繰り返すことにより、充電容量Ｃｃに格納された値が報知判定値ＴＨ以上になるまで待機する。そして、充電容量Ｃｃに格納された値が報知判定値ＴＨ以上になると、充電制御回路３３は、Ｓ６０にて、第１報知を行う。具体的には、充電制御回路３３は、表示部３８に、予め設定された第１報知態様で複数の発光ダイオードを選択的に点灯または点滅させる。本実施形態では、第１報知態様は、２つの発光ダイオードのうち、一方を赤色で点灯させ、他方を緑色で点灯させる態様である。
【００４２】
次に充電制御回路３３は、Ｓ７０にて、スマートフォン通知フラグＦ２がセットされているか否かを判断する。ここで、スマートフォン通知フラグＦ２がクリアされている場合には、充電制御回路３３は、Ｓ１００に移行する。一方、スマートフォン通知フラグＦ２がセットされている場合には、充電制御回路３３は、Ｓ８０にて、ＲＡＭ３３ｃに設けられた通知完了フラグＦ４がセットされているか否かを判断する。ここで、通知完了フラグＦ４がセットされている場合には、充電制御回路３３は、Ｓ１００に移行する。
【００４３】
一方、通知完了フラグＦ４がクリアされている場合には、充電制御回路３３は、Ｓ９０にて、第２報知を行い、Ｓ１００に移行する。具体的には、充電制御回路３３は、無線通信部４１に、第２報知指令をスマートフォン４へ送信させて、通知完了フラグＦ４をセットする。スマートフォン４は、第２報知指令を受信すると、バッテリパック２の充電容量が報知判定値ＴＨに相当する値（本実施形態では８０％）に達した旨を、スマートフォン４の表示画面に表示するとともにスマートフォン４のスピーカから音で予め設定された第２報知時間（本実施形態では、例えば１０秒間）だけ出力する。
【００４４】
そしてＳ１００に移行すると、充電制御回路３３は、音出力フラグＦ１がセットされているか否かを判断する。ここで、音出力フラグＦ１がクリアされている場合には、充電制御回路３３は、Ｓ１３０に移行する。一方、音出力フラグＦ１がセットされている場合には、充電制御回路３３は、Ｓ１１０にて、ＲＡＭ３３ｃに設けられた音出力完了フラグＦ３がセットされているか否かを判断する。ここで、音出力完了フラグＦ３がセットされている場合には、充電制御回路３３は、Ｓ１３０に移行する。
【００４５】
一方、音出力完了フラグＦ３がクリアされている場合には、充電制御回路３３は、Ｓ１２０にて、第３報知を行い、Ｓ１３０に移行する。具体的には、充電制御回路３３は、スピーカ３９に、予め設定された第３報知時間（本実施形態では、例えば１０秒間）だけビープ音を出力させて、音出力完了フラグＦ３をセットする。
【００４６】
そしてＳ１３０に移行すると、図４に示すように、充電制御回路３３は、バッテリパック２の充電容量が１００％に達したか否かを判断する。具体的には、充電制御回路３３は、充電容量Ｃｃに格納された値が１００％に相当する値以上であるか否かを判断する。ここで、充電容量が１００％に達していない場合には、充電制御回路３３は、Ｓ５０に移行する。一方、充電容量が１００％に達した場合には、充電制御回路３３は、Ｓ１４０にて、充電回路３２によるバッテリパック２の充電を停止する。そして充電制御回路３３は、Ｓ１５０にて、第４報知を行う。具体的には、充電制御回路３３は、予め設定された第４報知態様で複数の発光ダイオードを選択的に点灯または点滅させる。本実施形態では、第４報知態様は、２つの発光ダイオードのうち、一方を緑色で点灯させ、他方を消灯させる態様である。
【００４７】
次に充電制御回路３３は、Ｓ１６０にて、スマートフォン通知フラグＦ２がセットされているか否かを判断する。ここで、スマートフォン通知フラグＦ２がクリアされている場合には、充電制御回路３３は、Ｓ１９０に移行する。一方、スマートフォン通知フラグＦ２がセットされている場合には、充電制御回路３３は、Ｓ１７０にて、ＲＡＭ３３ｃに設けられた通知完了フラグＦ６がセットされているか否かを判断する。ここで、通知完了フラグＦ６がセットされている場合には、充電制御回路３３は、Ｓ１９０に移行する。
【００４８】
一方、通知完了フラグＦ６がクリアされている場合には、充電制御回路３３は、Ｓ１８０にて、第５報知を行い、Ｓ１９０に移行する。具体的には、充電制御回路３３は、無線通信部４１に、第５報知指令をスマートフォン４へ送信させて、通知完了フラグＦ６をセットする。スマートフォン４は、第５報知指令を受信すると、バッテリパック２の充電容量が１００％に達した旨を、スマートフォン４の表示画面に表示するとともにスマートフォン４のスピーカから音で予め設定された第５報知時間（本実施形態では、例えば１０秒間）だけ出力する。
【００４９】
そしてＳ１９０に移行すると、充電制御回路３３は、音出力フラグＦ１がセットされているか否かを判断する。ここで、音出力フラグＦ１がクリアされている場合には、充電制御回路３３は、Ｓ２２０に移行する。一方、音出力フラグＦ１がセットされている場合には、充電制御回路３３は、Ｓ２００にて、ＲＡＭ３３ｃに設けられた音出力完了フラグＦ５がセットされているか否かを判断する。ここで、音出力完了フラグＦ５がセットされている場合には、充電制御回路３３は、Ｓ２２０に移行する。
【００５０】
一方、音出力完了フラグＦ５がクリアされている場合には、充電制御回路３３は、Ｓ２１０にて、第６報知を行い、Ｓ２２０に移行する。具体的には、充電制御回路３３は、音種類Ｖｓに格納された値に応じた音種類の音を、スピーカ３９に予め設定された第６報知時間（本実施形態では、例えば１０秒間）だけ出力させて、音出力完了フラグＦ５をセットする。すなわち、充電制御回路３３は、音種類Ｖｓに１が格納されている場合には、スピーカ３９にビープ音を出力させる。また充電制御回路３３は、音種類Ｖｓに２が格納されている場合には、スピーカ３９にメロディ音を出力させる。また充電制御回路３３は、音種類Ｖｓに３が格納されている場合には、スピーカ３９に音声を出力させる。
【００５１】
そしてＳ２２０に移行すると、充電制御回路３３は、Ｓ１０と同様にして、バッテリパック２が充電器３に装着されているか否かを判断する。ここで、バッテリパック２が装着されている場合には、Ｓ２２０の処理を繰り返すことにより、バッテリパック２が充電器３から離脱されるまで待機する。そして、充電制御回路３３は、バッテリパック２が充電器３から離脱されると、報知処理を一旦終了する。
【００５２】
このように構成された充電器３は、装着部６１と、充電回路３２と、充電制御回路３３と、スピーカ３９とを備える。装着部６１は、バッテリパック２が着脱可能に装着されるように構成される。充電回路３２は、装着部６１に装着されたバッテリパック２を充電するように構成される。充電制御回路３３は、バッテリパック２の充電容量が、７０％以上であり且つ１００％未満となるように予め設定された報知判定値ＴＨ以上であるか否かを判断する。充電制御回路３３およびスピーカ３９は、バッテリパック２の充電容量が報知判定値ＴＨ以上であると判断した場合に、その旨を、音で、予め設定された第３報知時間の間だけ報知する。
【００５３】
このように充電器３は、バッテリパック２の充電容量が、１００％未満である報知判定値ＴＨ以上になったときに報知する。このため、充電器３は、バッテリパック２の充電容量が１００％になるまで使用者を待たせることなく、使用者にバッテリパック２を充電器３から取り外させることができる。これにより、充電器３は、使用者に、バッテリパック２の充電が完了するまで長時間待たせることなく、バッテリパック２を用いた作業を再開させることができ、使用者の作業効率を向上させることができる。
【００５４】
また充電器３は、音で報知する。このため、充電器３は、使用者が充電器３から離れた場所にいる場合であっても、充電器３から出力される音が空気中を伝導することにより、使用者に、バッテリパック２の充電容量が報知判定値ＴＨ以上になったことを伝達することができる。これにより、充電器３は、バッテリパック２の充電を行っている間に、使用者に、充電器３から離れた場所で他の作業をさせることができ、使用者の作業効率を更に向上させることができる。
【００５５】
また充電器３は、予め設定された報知時間の間だけ報知する。このため、充電器３は、充電器３の電力消費を低減することができる。
充電制御回路３３およびスピーカ３９は、バッテリパック２の充電容量が１００％に達した場合に、その旨を音で報知する。そして、充電制御回路３３およびスピーカ３９は、２種類の音の中から選択された音で、バッテリパック２の充電容量が１００％に達した旨の報知を行うように構成される。また、充電制御回路３３およびスピーカ３９は、１種類の音で、バッテリパック２の充電容量が報知判定値ＴＨ以上になった旨の報知を行うように構成される。これにより、充電器３は、バッテリパック２の充電容量が１００％に達したことと、バッテリパック２の充電容量が報知判定値ＴＨ以上になったこととを区別して、使用者に報知することができる。さらに充電器３は、バッテリパック２の充電容量が報知判定値ＴＨ以上になった旨の報知を１種類の音で行う。このため、充電器３は、バッテリパック２の充電容量が報知判定値ＴＨ以上になった旨の報知を行うための音の種類を選択するという操作を不要とすることができ、使用者による操作性を向上させることができる。
【００５６】
また充電制御回路３３は、音出力フラグＦ１がクリアされているか否かを判断する。そして充電制御回路３３は、音出力フラグＦ１がクリアされていると判断した場合に、バッテリパック２の充電容量が報知判定値ＴＨ以上になった旨のスピーカ３９による報知を禁止する。また充電制御回路３３は、スマートフォン通知フラグＦ２をクリアがクリアされているか否かを判断する。そして充電制御回路３３は、スマートフォン通知フラグＦ２がクリアされていると判断した場合に、バッテリパック２の充電容量が報知判定値ＴＨ以上になった旨のスマートフォン４による報知を禁止する。これにより、充電器３は、例えば、夜間のように、音による報知が不適切な状況において、音報知が行われてしまうという事態の発生を抑制することができる。
【００５７】
充電制御回路３３および無線通信部４１は、バッテリパック２の充電容量が報知判定値ＴＨ以上であると判断した場合に、第２報知指令を、充電器３の外部に存在するスマートフォン４へ無線で送信する。これにより、充電制御回路３３および無線通信部４１は、スマートフォン４に、バッテリパック２の充電容量が報知判定値ＴＨ以上である旨を音で第２報知時間の間だけ報知させる。
【００５８】
これにより、充電器３は、使用者が充電器３から離れた場所にいる場合であっても、スマートフォン４を所持する使用者に、バッテリパック２の充電容量が報知判定値ＴＨ以上になったことを伝達することができる。このため、充電器３は、バッテリパック２の充電を行っている間に、使用者に、充電器３から離れた場所で他の作業をさせることができ、使用者の作業効率を更に向上させることができる。
【００５９】
以上説明した実施形態において、充電回路３２は充電部に相当し、Ｓ５０は報知判断部としての処理に相当し、Ｓ９０，Ｓ１２０は報知部としての処理に相当し、第２，３報知時間は報知時間に相当する。
【００６０】
また、Ｓ１８０，Ｓ２１０は満充電報知部としての処理に相当し、Ｓ７０，Ｓ１００は禁止判断部および禁止部としての処理に相当し、Ｓ７０，Ｓ１００の判断条件は禁止条件に相当し、スマートフォン４は外部機器に相当し、第２報知指令は報知指令に相当する。
【００６１】
以上、本開示の一実施形態について説明したが、本開示は上記実施形態に限定されるものではなく、種々変形して実施することができる。
例えば上記実施形態では、充電器３がスピーカ３９から音を出力する形態を示した。しかし、充電器３は、振動発生部を備えて、スピーカ３９から音を出力する代わりに、振動発生部により充電器３を振動させるようにしてもよい。
【００６２】
また上記実施形態では、スマートフォン４のスピーカから音を出力する形態を示した。しかし、スマートフォン４は、振動発生部を備えて、スピーカから音を出力する代わりに、振動発生部によりスマートフォン４を振動させるようにしてもよい。
また上記実施形態では、複数の二次電池が直列に接続されているバッテリ１１を示したが、複数の二次電池が並列に接続されるようにしてもよいし、複数の二次電池が直列と並列とを併用して接続されるようにしてもよい。
【００６３】
上記実施形態では、２種類の音の中から選択された音で充電容量が１００％に達した旨の報知を行い、１種類の音で充電容量が報知判定値ＴＨ以上になった旨の報知を行う形態を示した。しかし、複数種類の音の中から選択された音で充電容量が１００％に達した旨の報知を行い、複数種類の音の中から選択された音で充電容量が報知判定値ＴＨ以上になった旨の報知を行うようにしてもよい。また、充電容量が報知判定値ＴＨ以上になった旨の報知は、複数種類の音の中から、充電容量が１００％に達した旨を報知する音とは異なる種類の音で行うようにしてもよい。これにより、充電器３は、バッテリパック２の充電容量が１００％に達したことと、バッテリパック２の充電容量が報知判定値ＴＨ以上になったこととを区別して、使用者に報知することができる。
【００６４】
上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加または置換してもよい。
【００６５】
上述した充電器３の他、当該充電器３を構成要素とするシステム、当該充電器３としてコンピュータを機能させるためのプログラム、このプログラムを記録した半導体メモリ等の非遷移的実態的記録媒体、充電器制御方法など、種々の形態で本開示を実現することもできる。
【符号の説明】
【００６６】
２…バッテリパック、３…充電器、４…スマートフォン、３２…充電回路、３３…充電制御回路、３９…スピーカ、４１…無線通信部、６１…装着部
【図１】
2020108311.tif 000003
【図２】
2020108311.tif 000004
【図３】
2020108311.tif 000005
【図４】
2020108311.tif 000006